(57)【特許請求の範囲】
【請求項１】
ソール部と、
前記ソール部に固定連結された足部分と、前記足部分から上方に延びる足首部分と、前記足首部分から上方に延びる脚部分と、前記足首部分の内側及び外側に配置された熱成形層と、前記足首部分の前記内側及び外側の少なくとも一方に配置された非熱成形部材とを有するアッパー部と、
を備えたブーツライナー。
【請求項２】
前記非熱成形部材は、前記足首部分の前記内側に配置されている、請求項１に記載のブーツライナー。
【請求項３】
前記非熱成形部材は、前記足首部分の前記外側に配置されている、請求項１又は２に記載のブーツライナー。
【請求項４】
前記非熱成形部材はバナナ形パッドである、請求項１から３のいずれかに記載のブーツライナー。
【請求項５】
前記非熱成形部材はポリウレタンで形成されている、請求項１から４のいずれかに記載のブーツライナー。
【請求項６】
前記非熱成形部材は、共に、約７０ミリメートルの高さと、約７０ミリメートルの長さとを有している、請求項１から５のいずれかに記載のブーツライナー。
【請求項７】
前記アッパー部は、前記足首部分の前記内側に配置された前記非熱成形部材の一部に被さるように配置された第１ストラップ部分と、前記足首部分の前記外側に配置された前記非熱成形部材の一部に被さるように配置された第２ストラップ部分とを有する締付け機構を備えている、請求項３から７のいずれかに記載のブーツライナー。
【請求項８】
前記熱成形層は、前記足部分に沿ってさらに延びている、請求項１から７のいずれかに記載のブーツライナー。
【請求項９】
前記熱成形層は、前記脚部分に沿ってさらに延びている、請求項１から８のいずれかに記載のブーツライナー。
【請求項１０】
前記アッパー部は、前記熱成層の外側に面した表面を被うフォーム層を備えている、請求項１から９のいずれかに記載のブーツライナー。
【請求項１１】
前記アッパー部は、前記熱成形層の外側に面した表面を被う外層を備えている、請求項１から１０に記載のブーツライナー。
【請求項１２】
前記アッパー部は、前記熱成形層の内側に面した表面を被う内層を備え、前記非熱成形部材が前記熱成形層及び前記内層の間に配置されている、請求項１から１１のいずれかに記載のブーツライナー。
【請求項１３】
前記ソール部は、前記アッパー部の前記足部分に連結された別個の部材である、請求項１から１２のいずれかに記載のブーツライナー。
【請求項１４】
前記ソール部は、たわみ性材料で構築されている、請求項１から１３のいずれかに記載のブーツライナー。
【請求項１５】
前記ソール部は、前記アッパー部の前記足部分に固定連結されたアウターソール部を備えている、請求項１から１４のいずれかに記載のブーツライナー。
【請求項１６】
前記ソール部の前記アウターソール部は、ポリ塩化ビニル材料の外層を備えている、請求項１５に記載のブーツライナー。
【請求項１７】
前記ソール部の前記アウターソール部は、熱成形可能な内層をさらに備えている、請求項１５又は１６に記載のブーツライナー。
【請求項１８】
前記ソール部は、前記ソール部の前記アウターソール部の上を被うインナーソール部をさらに備えている、請求項１５から１７のいずれかに記載のブーツライナー。
【請求項１９】
前記ソール部は、熱成形層をさらに備えている、請求項１から１８のいずれかに記載のブーツライナー。
【請求項２０】
前記アッパー部は、前記アッパー部に連結され前記脚部分に形成された縦方向スリットの全長を被うように配置された舌部分を有し、
前記締付け機構は、前記スリットを定める前記アッパー部の相対する側端部を互いに向かって引き締めるように、前記アッパー部に連結されている、請求項７から１９のいずれかに記載のブーツライナー。
【発明の詳細な説明】
【０００１】
【発明の属する技術分野】
本発明は、ブーツライナーに関する。本発明は、特に、履き心地のよい、スポーツ用またはスノーボード用のブーツライナーに関する。
【０００２】
【従来の技術】
防寒用フットウェアの多くは、アウターシェルとは別個の内装ブーツライナーを備えている。例えば、ハイキングブーツ、スキーブーツ、スノーボードブーツなどは、多くの場合、ブーツライナーを備えている。ブーツライナーは、着用者の足先又は足首、あるいはその両方に対して、保温、衝撃吸収、心地よさ、などの効果を提供する。ブーツライナーは、一般に、ソール部と、アッパー部とにより形成される。アッパー部は、多くの場合、中央の開き口又はスリットを持つように形成される。開き口又はスリットの下端にタンが形成され、開き口又はスリットの両側の間に延びている。
【０００３】
ライナーを着用者の足に接触させることが重要になるので、時には、ブーツライナーが締付け機構を備える場合もある。締付け機構は、一般に、中央開き口の両側に配置され、通常は、靴ひもを通すためのループ又はアイレットを備えている。靴ひもは、一般に、両側を左右交互に編み上げるなど、十字形に交差させるようにループ及びアイレットに通される。一般に、アイレット又はループは、オープニングの反対側に同じ数だけ、等間隔で配置され、アイレット又はループの対を形成している。
【０００４】
ブーツライナーは、織物、スポンジ状の材料又はゴム、それらの材料の様々な組合せなど、多様な材料で形成される。着用者の足の周りにブーツライナーを圧接させることのできる、締付け機構を備えるブーツライナーもある。
締付け機構を備えたブーツライナーの一例は、Solomon S.A. に付与された特許文献１に開示されている。この特許には、１本の靴ひも及び複数のストラップを使用して、ブーツライナーを着用者の足に圧接する、ブーツライナー用の締付け機構が開示されている。
【０００５】
最近のブーツライナーは、履き心地のよいフィット感を与えるように設計し直されてきている。例えば、Solomon S.A. に付与された特許文献２に開示されているブーツライナーには、よりよくフィットする熱成形材料が使われている。
【０００６】
【特許文献１】
米国特許  ５，９３７，５４２号
【０００７】
【特許文献２】
米国特許  ５，９２４，２１８号
【０００８】
【発明が解決しようとする課題】
上記視点から、履き心地のよいブーツライナーが必要になっている。本発明では、本技術における上記の必要性ならびにその他の必要性を示し、本開示によって、当業者はそれらを明確に理解することができる。
本発明の目的は、履き心地のよいブーツライナーを提供することにある。
【０００９】
本発明の別の目的は、着用者の足首にしっかりと締め付けられるブーツライナーを提供することにある。
【００１０】
【課題を解決するための手段】
前記の目的は、基本的に、ソール部と、アッパー部とから成るスノーボード用ブーツライナーを提供することによって達成できる。アッパー部は、ソール部に固定連結された足部分と、足部分から上方に延びる足首部分と、足首部分から上方に延びる脚部分とを有している。アッパー部は、足首部分の内側及び外側に配置された熱成形層と、足首部分の内側及び外側の少なくとも一方に配置された非熱成形部材とを備えている。
【００１１】
本発明の上記及びその他の目的、特徴、様相、利点は、当業者にとって、添付された図面と共に、本発明の実施形態を開示する以下の詳細な説明から明らかになる。
【００１２】
【発明の実施の形態】
図１及び図２は、本発明の一実施形態によるブーツライナー１０を示している。ブーツライナー１０は、スポーツ用ブーツ（図示せず）または同様のブーツと共に使用するよう設計されるのが望ましい。さらに具体的に、ブーツライナー１０は、スノーボードブーツ（図示せず）などのスポーツ用ブーツのシェルに挿入されるように設計されている。ブーツライナー１０は、着用者の足部分と、すねの周りとに密着させることができる。とくに、本発明によるブーツライナー１０は、着用者の足首の周りに密着させることができる。
【００１３】
ブーツライナー１０は、様々な足のサイズに合うように、様々なサイズに作成できることは、本開示から本技術に精通するものには明らかである。すなわち、ブーツライナー１０では、特定サイズの足が、特定サイズのブーツライナーに合うように、寸法が決定される。以下で説明するように、ブーツライナー１０は、特に、着用者の足首の周りに密着するように構築されている。したがって、足の特定サイズに応じて、ブーツライナー１０は、足関節の内部又は内側部分を形成する脛骨と、足関節の側方又は外側部分を形成する腓骨と、足関節の下部を形成する距骨との３種類の骨によって基本的に構成される、足関節Ａ（図４参照）に心地よくフィットする形状を有している。本発明によるブーツライナー１０は、足関節Ａの距骨及び腓骨部分により形成される、足関節Ａの平均的な位置に基づいて特定の足のサイズに設計されている。
【００１４】
ブーツライナー１０は、基本的に、ソール部１２と、ソール部１２に連結されたアッパー部１４と、ひも又はコードＬによってアッパー部１４の相対する側端部を互いに引き締めるように、アッパー部１４に連結された締付け機構Ｔとを備えている。ここで使用するように、以下「前方、後方、上方、下方、垂直、水平、下、横」などの方向を示す用語、ならびに他の同様の方向を表す用語は、標準の直立した位置にあるブーツライナー１０の方向を表している。したがって、本発明を説明するこれらの用語は、ブーツライナー１０を標準の直立した位置に履いた着用者の足を基準として解釈されなければならない。
【００１５】
図４から最も明らかなように、ソール部１２は、２つの部分を互いに縫い付けるなどの従来の方法でアッパー部１４に連結された、アッパー部１４とは別個の要素であるのが望ましい。ソール部１２は、アッパー部１４とは異なるのが望ましい。ソール部１２は、各々２層のたわみ性材料で構築された２つの部分より構築されるのが望ましい。ソール部１２は、具体的には、アッパー部１４に縫い付けられたアウターソール部１５と、アウターソール部１５の上に取外し自在に被せられたインナーソール部１６とを備えている。
【００１６】
さらに具体的には、図４に示すように、アウターソール部１５は、底部外層１５ａと、内層１５ｂとを持つのが望ましい。この層構造は、接着剤などの従来の方法で互いに接着されるのが望ましい。図における各層１５ａ及び１５ｂの厚みは、実際の縮尺どおりに描かれておらず、層１５ａの厚みは、図示目的のために誇張されている。
【００１７】
アウターソール部１５の外層１５ａは、摩擦係数の高い材料で構築される。すなわち、ブーツライナー１０がブーツ（図示せず）内に装着されると、ソール部１２は、ブーツの内面に接触して摩擦力を生じ、接触部における相対的な運動が制限される。アウターソール部１５の外層１５ａは、合成ゴム、ポリ塩化ビニル（ＰＶＣ）、エチルビニルアセタート共重合体（ＥＶＡ）などの、たわみ性ゴム材料、またはレザー、あるいはその他の適切な材料で構築されるのが望ましい。アウターソール部１５の外層１５ａの底面は、滑止め特性を増強するテクスチャを備えるのが望ましい。アウターソール部１５の内層１５ｂは、足底に従って成形可能な、ＵＬＴＲＡＬＯＮなどの、熱成形可能な材料で形成されるのが望ましい。すなわち、アウターソール部１５の熱成形可能な内層１５ｂは、熱成形温度による加熱後、着用者の足に特有の容積に調整、適合できる能力を与える、熱可塑性を備えている。
【００１８】
図４に示すように、インナーソール部１６は、アウターソール部１５の上を被う取外し自在なインサートであるのが望ましい。インナーソール部１６は、下層１６ａ及び上層１６ｂにより構築されるのが望ましい。この層構造は、接着剤などの従来の方法で互いに接着されるのが望ましい。図における各層１６ａ及び１６ｂの厚みは、実際の縮尺どおりに描かれておらず、上層１６ｂの厚みは、図示目的のために誇張されている。インナーソール部１６の下層１６ａは、着用者の足に衝撃吸収効果（クッション）を与える、エチルビニルアセタート共重合体（ＥＶＡ）などの、圧縮可能なたわみ性材料で構築されるのが望ましい。インナーソール部１６の上層１６ｂは、ポリエステル布又は織物材料で形成されるのが望ましい。
【００１９】
アッパー部１４は、例えば、本体部分１７及び舌部分１８などの、２つの部分により構築されるのが望ましい。これらの本体部分１７及び舌部分１８は、縫い目１９によって互いに縫い合わされ、足部分２０と、足首部分２１と、脚部分２２とを形成している。足部分２０は、望ましい縫い目などの従来の方法で、ソール部１２に固定連結される。足首部分２１は、足部分２０と、脚部分２２との間の領域に位置している。脚部分２２は、足部分２０及び足首部分２１の両方に形成された縦方向スリット２４と共に、足部分２０から上方に延びている。縦方向スリット２４は、ブーツライナー１０の中間又は中央平面に沿った位置に、ほぼ配置されている。このように、縦方向スリット２４は、アッパー部１４の、１対の相対する側端部２６ａ，２６ｂによって定められている。縦方向スリット２４は、足部分２０及び脚部分２２の両方に沿って延びるのが望ましい。
【００２０】
図３から図６に示し、図５及び図６に最も明らかなように、アッパー部１４の部分１７及び１８は、各々、４層のたわみ性材料で構築されている。さらに具体的に、アッパー部１４は、最外層２８ａと、外中間層すなわち外中間（熱成形）層２８ｂと、内中間層すなわち内中間（海綿）層２８ｃと、最内層２８ｄとを有している。この層構造は、接着剤などの従来の方法で互いに接着されるのが望ましい。図における各層２８ａから２８ｄの厚みは、実際の縮尺どおりに描かれておらず、層２８ａ及び２８ｄの厚みは、各々、図示目的のために誇張されている。
【００２１】
選択された実施形態による最外層２８ａは、スパンデックスなどの弾性材料で構築されるのが望ましい。最外層２８ａは、約０．３から０．５ミリメートルの横方向の厚み又は寸法を備えるのが望ましい。外中間（熱成形）層２８ｂは、ＵＬＴＲＡＬＯＮなどの、熱成形可能な材料で形成されるのが望ましい。外中間（熱成形）層２８ｂは、熱成形温度による加熱後、着用者の足に特有の容積に調整、適合できる能力を与える、熱可塑性を備えている。外中間（熱成形）層２８ｂは、約７ミリメートルの横方向の厚み又は寸法を備えるのが望ましい。内中間（海綿）層２８ｃは、連続気泡ポリウレタンなどの、従来のフォーム材料又は海綿材料で構築されるのが望ましい。内中間層２８ｃは、約３．５ミリメートルの横方向の厚み又は寸法を備えるのが望ましい。最内層２８ｄは、ＮＹＬＥＸ（登録商標）ポリマーメリヤス生地などの、布材料で構築されるのが望ましい。最内層２８ｄは、約０．３から０．５ミリメートルの横方向の厚み又は寸法を備えるのが望ましい。勿論、本発明を実行に移すために、アッパー部１４は、その他の適切なたわみ性材料で構築されてもよいことは、本開示から本技術に精通するものには明らかである。
【００２２】
図３に示すように、足首部分２１は、足首部分の内側及び外側に配置された１対の第１及び第２非熱成形部材２９を備えている。図５及び図６に示すように、第１及び第２非熱成形部材２９は、外中間（熱成形）層２８ｂと、内中間（海綿）層２８ｃとの間に配置されるのが望ましい。第１及び第２非熱成形部材２９は、ポリウレタン材料で形成されるのが望ましいバナナ形又はＬ字形のパッドである。第１及び第２非熱成形部材２９は、互いに向かって横方向に延びる、１対のバナナ形又はＬ字形の膨出部Ｂである。
【００２３】
図４に示すように、第１及び第２非熱成形部材２９は、約７０ミリメートルの垂直方向の寸法Ｄ１の高さと、約７０ミリメートルの水平方向の寸法Ｄ２と長さとを有している。非熱成形部材２９は、約１１．５ミリメートルの横方向の寸法Ｄ３の厚みを備えるのが望ましい。図４に最も明らかなように、締付け機構Ｔは、第１及び第２ストラップ部分（下方レーシング部材３４）が第１及び第２非熱成形部材２９の部分の上にそれぞれ被さるように、アッパー部１４上に配置されて構成される。
【００２４】
第１及び第２非熱成形部材２９は、足関節Ａの部分を形成する、腓骨及び脛骨の平均位置の直後方に配置される。すなわち、第１及び第２非熱成形部材２９は、基本的に、足関節Ａの基部及び後側で足関節を受け止めるか、または支持している。勿論、ブーツライナー１０の様々なサイズについて、第１及び第２非熱成形部材２９の位置は、ブーツライナー１０の特定サイズに合った着用者の足に対する、足関節Ａの平均位置に基づいて決められている。
【００２５】
外中間（熱成形）層２８ｂを形成する熱成形材料の密度は、約５０ｋｇ／ｍ3であるのが望ましく、硬度は、日本ゴム協会のゴム強度テスターＣスケールで約３５−４０であるのが望ましい。一方、非熱成形部材２９のポリウレタン材料の硬度は、日本ゴム協会のゴム強度テスターＣスケールで約２０であるのが望ましい。非熱成形部材２９が内中間（海綿）層２８ｃほど圧縮性が高くないように、非熱成形部材２９のポリウレタン材料は高密度である。このように、外中間（熱成形）層２８ｂは、内中間（海綿）層２８ｃ及び非熱成形部材２９よりも硬くなっている。非熱成形部材２９は、内中間（海綿）層２８ｃよりも硬い方が望ましい。内中間（海綿）層２８ｃ及び非熱成形部材２９は、共に、ポリウレタン材料で形成されるのが望ましい。ただし、非熱成形部材２９の横方向の圧縮性が外中間（熱成形）層２８ｂよりも高いように、非熱成形部材２９は、外中間（熱成形）層２８ｂほど高い密度を有していない。
【００２６】
図３に示すように、舌部分１８は、図１及び図２の縦方向スリット２４の全長を被うように配置されている。舌部分１８は、４層３０ａ，３０ｂ，３０ｃ，３０ｄで構築されるのが望ましい。４層３０ａ，３０ｂ，３０ｃ，３０ｄの材料は、順に、アッパー部１４の本体部分１７の層２８ａ，２８ｂ，２８ｃ，２８ｄに使用される材料と同じものであるのが望ましい。したがって、舌部分１８は、アッパー部１４の本体部分１７に使用される材料と同じたわみ性の衝撃吸収材料で構築されるのが望ましい。この層構造は、接着剤などの従来の方法で互いに接着されるのが望ましい。図における各層３０ａから３０ｄの厚みは、実際の縮尺どおりに描かれておらず、層３０ａ及び３０ｄの厚みは、各々、図示目的のために誇張されている。
【００２７】
締付け機構Ｔは、アッパー部１４の相対する側端部２６ａ及び２６ｂを互いに向かって引き締めるように、アッパー部１４に連結されている。締付け機構Ｔは、基本的に、上方レーシング部材３２と、下方レーシング部材３４とを備えている。上方及び下方レーシング部材３２及び３４は、後方に配置された４箇所のポイント（図１に２箇所のみ表示）においてアッパー部１４にステッチングで縫い付けられている。下方レーシング部材３４の２箇所にある横方向底部も又、サイドポイント３６（図１に１箇所のみ表示）において、アウターソール部１５に接着されている。上方レーシング部材３２は、４本の上方ストラップすなわちレーシング部４１，４２，４３，４４を備え、下方レーシング部材３４は、１対の下方ストラップすなわちレーシング部４５及び４６を備えている。上方レーシング部材３２は、主に、アッパー部１４の脚部分２２を締め付け、下方レーシング部材３４は、主に、足部分２０と、脚部分２２との交差領域に位置する足首部分２１とを締め付ける。勿論、本発明を実行に移すために、ブーツライナー１０のサイズ及び用途にしたがって、より多数または少数の主要レーシング部を利用してもよいことは、本開示から本技術に精通するものには明らかである。
【００２８】
ストラップすなわちレーシング部４１〜４６は、本技術で一般的に使用される従来のストラップ用材料で構築されるのが望ましい。ストラップ又はレーシング部４１〜４６は、レザー、ナイロン、あるいはその他の適切な材料などの、たわみ性材料で構築されるのが望ましい。勿論、様々な配置を利用することができる。例えば、レーシング部４１〜４６は、アッパー部１４上に直接形成されたアイレット又は穴であってもよい。あるいは、レーシング部４１〜４６がフック又は剛性リング部材、あるいはその両方に形成されてもよい。
【００２９】
締付け機構Ｔは、中央スリット２４の両側に配置され、レーシング部４１〜４６によって形成されたループ部材に靴ひもＬが通される。靴ひもＬは、一般に、レーシング部４１〜４６によって形成されたループ部材を、例えば両側のループを左右交互に編み上げるように、十字形に交差しながら通って延びている。一般に、レーシング部４１〜４６によって形成されたループ部材は、中央スリット２４の反対側に同じ数だけ、等間隔で配置され、ループ部材の対を形成している。
【００３０】
ここで使用されている「ほぼ」、「約」、「おおよそ」などの程度を表す用語は、最終結果が著しく変化しないような、妥当な量の変化を意味する修正用語である。これらの用語は、修正対象の用語の意味を否定しない場合は、±５％の偏差を含むものと解釈される。
ここでは、本発明の選択された実施形態を説明、図示しているが、本開示から本技術に精通するものには明らかであるが、請求の範囲で定義された本発明の意図又は範囲から離れることなく、様々な修正、変更を加えることができる。さらに、本発明による複数の実施形態の説明は、図示のみを目的とし、附随する請求事項や同等の請求による定義によって本発明を制限するものではない。
【００３１】
【発明の効果】
本発明によれば、足首部分の内側及び外側に熱成形層が配置されるとともに、足首部分の内側及び外側の少なくとも一方に非熱成形部材が配置されているので、足首部分が熱成形層と非熱成形部材とによりしっかりと締め付けられ、フィット感のよく履き心地が良好なブーツライナーが得られる。
【図面の簡単な説明】
【図１】本発明によるブーツライナーの側面斜視図。
【図２】本発明による、図１に示されたブーツライナーの正面斜視図。
【図３】図１及び図２に示されたブーツライナーの、図２の３−３線による部分拡大断面図。
【図４】図１から図３に示されたブーツライナーの、図３の４−４線による部分拡大断面図。
【図５】図１から図４に示されたブーツライナーの一部の、図４の５−５線による部分断面図。
【図６】図１から図５に示されたブーツライナーの一部の、図４の６−６線による部分断面図。
【符号の説明】
１０  ブーツライナー
１２  ソール部
１４  アッパー部
１５  アウターソール部
１５ａ  外層
１５ｂ  内層
１６  インナーソール部
１８  舌部分
２０  脚部分
２１  足首部分
２２  脚部分
２４  縦方向スリット
２８ｂ  外中間（熱成形）層
２９  第１及び第２非熱成形部材
３４  下方レーシング部材
【図１】
0003752490.tif 000002
【図２】
0003752490.tif 000003
【図３】
0003752490.tif 000004
【図４】
0003752490.tif 000005
【図５】
0003752490.tif 000006
【図６】
0003752490.tif 000007